(57)【要約】      （修正有）【課題】配管工事や電源を必要とすることなく、圧力のある洗浄水で用便後の汚物を洗い流すことができる病人用洗浄装置付き便器を提供する。【解決手段】便器本体３の後部の位置に取り付けた送水パイプ１０の便器本体３内に位置させる中央に、Ｔ型に分岐し、該送水パイプ１０の回転で起伏動するノズル９を設け、前記送水パイプ１０の便器本体３の外側に位置させる両端部に、この送水パイプ１０の回転操作レバー１１と、該送水パイプ１０と複数の給水源の連通を切り換えるための切り換え分配弁１２を装着し、切り換え分配弁１２にポット容器１３を送水チューブ３２で接続することにより、用便後の肛門部の洗浄がポット容器１３からの給水によって行え、病人の用便後において、先ず消毒液次いで清水や温水洗浄の両系統の選択が切り換えレバー２８の操作で座ったまま行え、何ら電気等の動力源を必要とすることなく肛門部の洗浄が可能になる。【選択図】図１
2005230497.tif 000002
【特許請求の範囲】
【請求項１】
便器本体の周壁における後部の位置に、該便器本体を左右方向に沿って内外に貫通する送水パイプを回転可能に取り付け、この送水パイプの便器本体内に位置する中央に、送水パイプからＴ型に分岐させて、該送水パイプの回転で起伏動するノズルを設け、前記送水パイプの便器本体外に位置する両端部に送水パイプよりも高所に配置する給水源を接続し、この送水パイプの便器本体外に位置する両端部分にノズルを起伏動させるための回転操作レバーを取り付け、前記ノズルが伏倒時に閉弁し、左右何れかの回転操作レバーによる引き起こし時に開弁するようになっている病人用洗浄装置付き便器。
【請求項２】
便器本体の周壁における後部の位置に、この便器本体を左右方向に沿って内外に貫通する送水パイプを回転可能に取り付け、該送水パイプの便器本体内に位置する中央に、送水パイプからＴ型に分岐させて、該送水パイプの回転で起伏動するノズルを設け、前記送水パイプの便器本体外に位置する両端部に、ノズルを起伏動させるための回転操作レバーと、該送水パイプと送水パイプよりも高所に配置する複数の給水源に接続してその連通を切り換えるための切り換え分配弁をそれぞれ装着し、前記ノズルが伏倒時に閉弁し、左右何れかの回転操作レバーによる引き起こし時に開弁するようになっている病人用洗浄装置付き便器。
【請求項３】
上記送水パイプの便器本体外に位置する両端部にそれぞれ装着される切り換え分配弁が、送水パイプの端部に水密状態で延長状に取り付けられ、周壁に給水源との接続孔が複数設けられた外筒部材と、この外筒部材内に回転可能となるよう嵌合して外筒部材を水密状に閉鎖し、その周壁に切り換え孔が設けられた内筒部材と、この内筒部材に固定され、内筒部材を回転させることにより複数の接続孔に対する切り換え孔の連通を切り換る切り換えレバーとで形成されている請求項２に記載の病人用洗浄装置付き便器。
【請求項４】
上記ノズルが、先端側に向けて小径となるノズルパイプの先端部内周に弁座を設け、このノズルパイプの内部に、ノズルの伏倒時に弁座へ当接するボールを移動可能に収納し、上記ノズルパイプの底部側に、ノズルの引き起こし時に弁座から離反したボールを止め置くボール止め袋部とボール止めピンを設けて形成されている請求項１乃至４の何れかに記載の病人用洗浄装置付き便器。
【発明の詳細な説明】
【発明の詳細な説明】
【技術分野】
【０００１】  この発明は、病人用の便器本体に水洗洗浄具取り付け、身体不自由な病人が、左右何れかのレバーを操作することにより、高所ポット容器からの水を噴出させて用便後の肛門等を洗浄することで付着汚物を洗い流すことができ、電源等を一切用いることなく肛門等を洗浄することができる、極めて簡便で安価な病人用洗浄装置付き便器に関する。
【背景技術】
【０００２】  国民の高齢化による老人病の増加は近い将来、現状の困難を遙に越える社会厚生問題となるのは明白である。高齢化に伴う老人病はいたしかたないにしても、できる限り患者の自立養生を促すことが望まれるが、患者にとって特に排泄は自立を願う最大の事項である。【０００３】  自力でトイレに行けないような患者の排泄に対する処理は、家族や看護人に負担をかけるだけでなく、下の世話は人の世話になりたくないとする、患者自身が一番痛切に悩むところである。【０００４】  従来、自力でトイレに行けないけれども、介添えがあれば起きれる患者に対する用便のために、病人用ポータブル便器が使用されている。【０００５】  この病人用ポータブル便器は、洋式便器形状の便器本体内に便収納タンクを出し入れ自在に収納し、患者の寝床やベッドの近くに配置し、便器本体の便座上に座った状態で用が足せるようになっており、患者の排泄に対する悩みを解消できる有用なものである。
【発明の開示】
【発明が解決しようとする課題】
【０００６】  ところで、上記した従来の病人用ポータブル便器は、用便後において、付着している汚物を紙で拭き取る必要があり、皮膚に対して汚物を塗りたくる状態になるので、確実に拭き取るのは困難であり、どうしても不快感が残り、痔等の疾病に対しても衛生的に好ましくない。【０００７】  そこで、この発明の課題は、病人が簡単に用便できるように身体が不自由な病人のベットの横に設置し、配管工事や電源を必要とすることなく、病人用なれば左右何れの手によっても操作でき、高所タンクとノズルの高低水位差の圧力のある洗浄水で肛門部を洗浄して汚物を洗い流すことができ、用便後に爽快感が得られると共に、家族や看護人の負担を軽減することができ、一般家庭や病院等において容易に使用することができる病人用洗浄装置付き便器を提供することにある。
【課題を解決するための手段】
【０００８】  上記のような課題を解決するため、請求項１の発明は、便器本体の周壁における後部の位置に、該便器本体を左右方向に沿って内外に貫通する送水パイプを回転可能に取り付け、この送水パイプの便器本体内に位置する中央に、送水パイプからＴ型に分岐させて、該送水パイプの回転で起伏動するノズルを設け、前記送水パイプの便器本体外に位置する両端部に送水パイプよりも高所に配置する給水源を接続し、この送水パイプの便器本体外に位置する両端部分にノズルを起伏動させるための回転操作レバーを取り付け、前記ノズルが伏倒時に閉弁し、左右何れかの回転操作レバーによる引き起こし時に開弁するようになっている構成を採用したものである。【０００９】  請求項２の発明は、便器本体の周壁における後部の位置に、この便器本体を左右方向に沿って内外に貫通する送水パイプを回転可能に取り付け、該送水パイプの便器本体内に位置する中央に、送水パイプからＴ型に分岐させて、該送水パイプの回転で起伏動するノズルを設け、前記送水パイプの便器本体外に位置する両端部に、ノズルを起伏動させるための回転操作レバーと、該送水パイプと送水パイプよりも高所に配置する複数の給水源に接続してその連通を切り換えるための切り換え分配弁をそれぞれ装着し、前記ノズルが伏倒時に閉弁し、左右何れかの回転操作レバーによる引き起こし時に開弁するようになっている構成を採用したものである。【００１０】  請求項３の発明は、請求項２の発明において、上記送水パイプの便器本体外に位置する両端部にそれぞれ装着される切り換え分配弁が、送水パイプの端部に水密状態で延長状に取り付けられ、周壁に給水源との接続孔が複数設けられた外筒部材と、この外筒部材内に回転可能となるよう嵌合して外筒部材を水密状に閉鎖し、その周壁に切り換え孔が設けられた内筒部材と、この内筒部材に固定され、内筒部材を回転させることにより複数の接続孔に対する切り換え孔の連通を切り換える切り換えレバーとで形成されている構成を採用したものである。【００１１】  請求項４の発明は、請求項１乃至３の発明において、上記ノズルが、先端側に向けて小径となるノズルパイプの先端部内周に弁座を設け、このノズルパイプの内部に、ノズルの伏倒時に弁座へ当接するボールを移動可能に収納し、上記ノズルパイプの底部側に、ノズルの引き起こし時に弁座から離反したボールを止め置くボール止め袋部とボール止めピンを設けて形成されている構成を採用したものである。
【発明の効果】
【００１２】  この発明によると、便器本体の後部の位置に水洗洗浄具を取り付け、この水洗洗浄具が、便器本体に回転可能に取り付けた送水パイプの便器本体内に位置させる中央に、該送水パイプの回転で起伏動するノズルを設け、前記送水パイプの便器本体外に位置させる両端部に、上部天井方向なあるポット容器を送水チューブで接続し、便器に用便後における肛門部の水洗洗浄機能を付加したので、便器を使用した病人の肛門部を圧力のある洗浄水で洗浄して汚物を洗い流すことができ、用便後に爽快感が得られると共に、衛生的にも向上し、用便後は水の滴を拭き取るだけでよく、手の不自由な病人にあっても、家族や看護人の負担を軽減することができ、一般家庭や病院等における看護の省力化が実現でき、気持ちの良い排泄行為は病人の自立をより促すものとなる。【００１３】  また、ポット容器の高さを調整することにより、任意の洗浄水圧力が得られると共に、水洗洗浄具に切り換え分配弁を設け、二種類の洗浄水の選択ができるようにすると、用便後先ず消毒し、その後清水で洗浄する複数経路の洗浄ができる。【００１４】  更に、用便後の肛門部の洗浄が、何ら電気等の動力源を必要とすることなく可能になり、しかも、配管工事を必要とすることなく、かつ、高低差を利用した圧力のある洗浄水で汚物を洗い流すことができ、水洗洗浄具は構造が簡単で価格が安くつき、一般家庭や病院等における病人用便器の水洗洗浄化の採用を容易にすることができる。【００１５】  また、使用する洗浄水の消費が少なく、湿気を嫌う室内での使用も何ら問題がないと共に、操作レバーの角度を選ぶことで、洗浄水を噴射するノズルの角度を使用する人によって自由に選択でき、肛門部だけでなく、膣部や排尿部まで広範囲に洗浄することができる。
【実施例】
【００１６】  図１のように、病人用洗浄装置付き便器１は、ベース台２上に設けた便器本体３の上部後縁部に便座４と蓋５を起伏動自在に取り付け、便器本体３の何れか一方の側部又は両側に手すり６を、ベース台２上に設けた差し込み基部６ａへの差し込みによって設け、便器本体３の内部に、引き出し状の便収納タンク７を前面側から出し入れ自在となるように収納し、上記便器本体３の周壁における後部の位置に水洗洗浄具８を取り付けたポータブル構造になっている。【００１７】  上記水洗洗浄具８は、図１と図３、図４に示すように、便器本体３の周壁における後部の位置に、該便器本体を左右方向に沿って内外に貫通する回転可能な送水パイプと、この送水パイプの便器本体内に位置する中央に送水パイプからＴ型に分岐するよう設けられ、該送水パイプの回転で起伏動するノズルと、送水パイプ１０の便器本体外に突出する両端部にそれぞれ取り付けられ、洗浄と停止を選択するための操作レバー１１と、該送水パイプ１０両端部と複数の給水源の連通を切り換えるための切り換え分配弁１２とで構成され、上記複数の給水源は、便器本体３よりも高所に配置するポット容器１３と１４で形成されている。【００１８】  前記送水パイプ１０は、便器本体３の前後方向に対して直交する左右向きの水平状態となるよう、便器本体３の後部で周壁を内外に貫通し、回転可能で軸方向に移動しないように取り付けられ、分岐するノズル９が便器本体３内の後部で左右の中央部に位置している。【００１９】  上記送水パイプ１０の中央にＴ型分岐されたノズル９は、図６と図７に示すように、送水パイプ１０の先端延長を９０°屈曲させ、かつ、局部に当たらないよう湾曲させ、この屈曲部分を先端側に向けて小径にしてノズルパイプ１５を形成し、該ノズルパイプ１５の先端部内周にＯリングを用いた弁座１６を設け、このノズルパイプ１５の内部に、ノズル９の伏倒時に弁座１６へ当接する弁体となる真鍮製のボール１７と、鉛を用いた重り用のボール１８を、ノズルパイプ１５の長さ方向に移動可能に収納し、上記ノズルパイプ１５の底部側に、ノズル９の水平状態時に、弁座１６からボール１７、１８を離反させる傾斜面１９と、この傾斜面１９の後端に連なり、傾斜面１９を転動してきたボール１７、１８を止め置くボール止袋部２０を凹入するポケット状に設け、該ボール止袋部２０の後端に側方部より水密状に貫通するボール止めピン２０ａを設け、更に、ノズルパイプ１５の先端に洗浄水を上向きに噴出するための射出キャップ２１を取り付けた構造になっている。【００２０】  なお、傾斜面１９は、弁座１６側前半に対し、ボール止袋部２０側の後半が少しきつい傾斜角度になっていると共に、ボール１７、１８は何れか一方を省いたシングルボールの構造としてもよい。【００２１】  前記送水パイプ１０を回転させる両端の操作レバー１１は、図４に示すように、送水パイプ１０の途中で便器本体３の外部に突出する部分の位置に形成した異形拡径部２２に外嵌して回り止め状に取り付け、左右何れかの操作レバー１１で送水パイプ１０を回転させることにより、ノズル９を、下向きに垂下する洗浄停止位置と、前部で斜め上方に起立させた洗浄位置との姿勢が選択できる。【００２２】  前記送��パイプ１０の両端にそれぞれ取り付ける切り換え分配弁１２は、図４（Ａ）に示すように、便器本体３の外部に突出する送水パイプ１０に外嵌し、便器本体３の外面に固定した固定フランジ２３と、送水パイプ１０の端部に外嵌する円筒状に形成され、送水パイプ１０に延長状態で取り付けられた外筒部材２５と、この外筒部材２５内に回転可能で抜け止め状となるよう嵌合し、内部が送水パイプ１０と連通し、嵌合面間に設けたＯリング２６で外筒部材２５を水密状に閉鎖する内筒部材２７と、内筒部材２７の端部に固定した切り換えレバー２８とで構成され、上記外筒部材２５は、便器本体３の外面に固定した固定フランジ２３に、端部のフランジ２５ａをビスやボルトで結合することにより固定配置となり、これにより送水パイプ１０は安定化支持され、該送水パイプ１０との嵌合面はＯリング２４で水密状となっている。【００２３】  上記外筒部材２５は、図５のように、その周壁に給水源との接続孔２９、３０が周方向に二個並べて設けられ、内筒部材２７の周壁に一つの切り換え孔３１が設けられ、切り換えレバー２８で内筒部材２７を回転させることにより、切り換え孔３１を何れかの接続孔２９、３０に連通させる切り換えが行える。【００２４】  上記切り換え分配弁１２の外筒部材２５に設けた一つの接続孔２９に接続する給水源は、洗浄水として温水や清水を収納するポット容器１３であり、このポット容器１３の底部と接続孔２９が送水チューブ３２で接続され、他の一つの接続孔３０に接続する給水源が洗浄水となる消毒液を収納するポット容器１４であり、このポット容器１４の底部と他の一つの接続孔３０が送水チューブ３３で接続されている。【００２５】  上記ポット容器１３、１４は、便器本体３よりも高所に配置し、その高低差を利用して接続孔２９、３０に送水チューブ３２、３３を介して供給するものであり、十分な高低差が確保できるので高圧水を供給でき、その高さを調整することにより、流出させる水圧を任意に変えることができる。【００２６】  図１はポット容器１３、１４の配置の第１の例を示し、便器本体３のベース台２上で側部後方の位置に点滴スタンドのような伸縮支柱３４を立設し、この伸縮支柱３４の上端に設けた掛け吊り具３５にポット容器１３、１４を吊り下げるようにしている。この例では、便器本体３とポット容器１３、１４が一体化し、ポータブル便器１の設置場所が自由になる。【００２７】  図２の第２の例は、ベッド３６の隅部に該ベッド３６の脚部３７を利用して上記と同様の伸縮支柱３４を固定し、この伸縮支柱３４の上端に設けた掛け吊り具３５にポット容器１３、１４を吊り下げるようにしている。【００２８】  また、第３の例としては図示省略したが、室内の壁面に取り付けたり、天井に吊り下げて取り付けるようにしてもよい。この第２及び第３の例では、ポータブル便器１とポット容器１３、１４の位置関係を自由に設定できる。【００２９】  なお、水洗洗浄具８は、図示の場合、切り換え分配弁１２を用い、二種類の洗浄液を選択して使用できるようにしたが、切り換え分配弁１２を省き、送水パイプ１０の端部に一つのポット容器を送水チューブで直接または回転可能に接続し、二個のポット容器１３、１４によって一種類の洗浄液で洗浄するように構成してもよい。【００３０】  また、ポット容器１３、１４と送水チューブ３２、３３の接続は着脱自在とし、ポット容器１３、１４は送水チューブ３２、３３を取り外すと接続部が自動的に閉弁し、接続すると開弁する構造とすれば、ポット容器１３、１４に対する洗浄液の補充作業が簡単容易に行え、これにより、ポータブル便器１は、水洗トイレ付きの車椅子としての使用も可能になる。【００３１】  更に、上記した送水パイプ１０の両端に設ける操作レバー１１と切り換え分配弁１２は、共に等しい構造で左右対称状の配置となるが、図示すると複雑になるため、一方端部の操作レバー１１と切り換え分配弁１２の構造のみを図示した。【００３２】  この発明の病人用洗浄装置付き便器１は、上記のような構成であり、洋式となる便器本体３の後部の位置に水洗洗浄具８を取り付け、送水パイプ１０の両端に位置する切り換え分配弁１２の一つの接続孔２９にポット容器１３を送水チューブ３２で接続し、他の一つの接続孔３０に送水チューブ３３でポット容器１４を接続し、切り換え分配弁１２の切り換えレバー２８を、切り換え孔３１が何れかの接続孔２９又は３０と連通する位置に設定し、かつ、両操作レバー１１を下向きの停止位置に倒しておく。【００３３】  この状態で、ノズル９は下向きに垂下する伏倒状態となり、便座４の下に納まるので、用便に支障を与えないと共に、図７（Ａ）のように、重量で下降したボール１７が弁座１６に当接して閉弁し、これにボール１８の重量が加わるので、ノズル９からの洗浄水の噴出は生じない。【００３４】  切り換えレバー２８を、例えば、切り換え孔３１を接続孔２９に連通させておくと、ポット容器１３内の水が接続孔２９と切り換え孔３１を通り、内筒部材２７から送水パイプ１０内に流入し、常に水で満たされて送水パイプ１０内の水と連通する。このとき、ノズル９は閉弁しているので、該ノズル９からの水の流出はない。【００３５】  上記の状態で、用便後に便座に座ったままで、左右何れかの操作レバー１１を洗浄の位置に引き上げると、送水パイプ１０の回動でノズル９が前方に向けて斜め上向きに起こされる。【００３６】  ノズル９が起こされると、図７（Ｂ）のように、内部に組み込んだボール１７、１８が弁座１６から離れてボール止袋部２０に移動し、ノズル９は開弁するので、ポット容器１３内の洗浄水は、高さの違いにより圧力水となって、ノズル９の先端射出キャップ２１から上向きに噴出し、この連続的に噴出する圧力水で肛門部を洗浄して汚物を除去する。【００３７】  このとき、指先を利用して肛門部を摩擦してもよく、指先も同時に洗浄することができ、洗浄後の汚水は便収納タンク７内に収納され、用便後に処理すればよい。【００３８】  肛門部の洗浄が終わると、操作レバー１１を停止の位置に下げる。これによっ  て、ノズル９は下向きに伏倒してボール１７が弁座１６に当接し、ノズル９が閉弁して洗浄水の噴出が停止することになり、ポット容器１３内の洗浄水の流出も停止し、この後洗浄した部分の滴を拭き取ればよい。【００３９】  なお、ノズル９から水の噴出後、更に操作レバー１１を上方に上げても、図７（Ｃ）のように、ボール止めピン２０ａにより、ボール１７��１８が転がってノズル９を閉鎖するということがない。従って、操作レバー１１を水平以上に上方に上げるゆとりがある。このため、引き起こし角度は、操作レバー１１の引き上げ位置を選ぶことにより、使用者自身が選択可能となり、肛門部だけでなく膣部や排尿部まで広い範囲にわたって洗浄することができると共に、肛門部の洗浄前に切り換えレバー２８をポット容器１４側にセットすると、肛門部を洗浄するときポット容器１４内に充填した消毒液を噴出させることができる。【００４０】  ここで、肛門部の洗浄は、先ず消毒液で洗浄し、次に清水や温水で洗浄するようにすると、肛門部の治療に有効であり、患部に消毒液の残存刺激を与えることはない。また、洗浄に使用する水量はコップ一杯か多くて二杯程度の僅かな量でよく、一般家庭や病院等において、水気を嫌う部屋での使用にも何ら支障がなく、洗浄後の汚水は便収納タンク７内に収納されるので、畳、カーペット、フローリング等、床を濡らすようなことがない。
【図面の簡単な説明】
【００４１】
【図１】水洗洗浄具付き病人用ポータブル便器の斜視図
【図２】ポット容器の配置の一例を示す斜視図
【図３】便器本体に取り付けた水洗洗浄具の斜視図
【図４】（Ａ）は切り換え分配弁の縦断面図、（Ｂ）は回転操作レバーの取り付け部分を示す断面図
【図５】切り換え分配弁の接続孔と切り換え孔の部分を示す縦断面図
【図６】送水パイプの拡大縦断面図
【図７】（Ａ）はノズルが閉弁した洗浄停止状態の縦断面図、（Ｂ）はノズルが開弁した洗浄状態の縦断面図、（Ｃ）はノズルが水平より上方に回動した開弁状態の縦断面図
【符号の説明】
【００４２】１      病人用ポータブル便器
３      便器本体
８      水洗洗浄具
９      ノズル
１０    送水パイプ
１１    回転操作レバー
１２    切り換え分配弁
１３    ポット容器
１４    ポット容器
１５    ノズルパイプ
１６    弁座
１７    ボール
１８    ボール
２０    ボール止め袋部
２５    外筒部材
２７    内筒部材
２８    切り換えレバー
２９    接続孔
３０    接続孔
３１    切り換え孔
３２    送水チューブ
３３    送水チューブ
３４    伸縮支柱
【図１】
2005230497.tif 000003
【図２】
2005230497.tif 000004
【図３】
2005230497.tif 000005
【図４】
2005230497.tif 000006
【図５】
2005230497.tif 000007
【図６】
2005230497.tif 000008
【図７】
2005230497.tif 000009